(57)【要約】      （修正有）【課題】天然水等が湧き出た地域に簡単に設置し、枯渇した場合には迅速に撤去することができる水販売装置を提供する。【解決手段】水販売装置１は、搬送可能な箱状の本体２の内部に、仕切壁３により仕切られた第１室４と第２室５が設けられている。第１室に水処理ユニット１０が設けられ、本体の外部から原水を受け入れる原水取水口６が設けられている。第２室にコイン式水自動販売機１１が設置され、扉９により開閉可能な出入口８が設けられている。水処理ユニットは、取水口６から原水を受け入れて浄化し殺菌してコイン式水自動販売機に供給する。【選択図】図４
0003215976.tif 000002
【実用新案登録請求の範囲】
【請求項１】
搬送可能な箱状の本体の内部に、仕切壁により仕切られた第１室と第２室が設けられ、
前記第１室に水処理ユニットが設けられ、
前記第１室に前記本体の外部から原水を受け入れる原水取水口が設けられ、
前記第２室にコイン式水自動販売機が設置され、
前記第２室には、扉により開閉可能な出入口が設けられ、
前記水処理ユニットは、前記取水口から原水を受け入れて浄化し殺菌して前記コイン式水自動販売機に供給するように構成されたことを特徴とする水販売装置。
【請求項２】
前記仕切壁に前記第２室から前記第１室に出入りできるドアが設けられていることを特徴とする請求項１に記載の水販売装置。
【請求項３】
前記第１室に前記水処理ユニットに接近できるように点検通路が設けられていることを特徴とする請求項１又は２に記載の水販売装置。
【請求項４】
前記水処理ユニットは、
半浸漬照射式紫外線殺菌装置を有する受水槽と、
前記本体の外部から原水を受け入れて、第１フィルタを介して前記受水槽に送る給水路と、
前記受水槽に貯留された水を送水ポンプにより第２フィルタ及び紫外線流水殺菌装置を介して前記コイン式水自動販売機に送る送水ポンプを有する送水路と、
前記受水槽のオーバーフロー水及び前記第１フィルタ、前記第２フィルタ、前記紫外線流水殺菌装置、及び前記コイン式水自動販売機からのドレンを排出する排水路と、
を備えることを特徴とする請求項１から３のいずれかに記載の水販売装置。
【請求項５】
前記送水路内の水の温度を検出する温度計と、
前記送水路から分岐して前記受水槽に至る帰還路とをさらに備え、
前記温度計により検出された温度が所定温度を超えると、前記送水路内の水を前記帰還路を介して前記受水槽に戻すように構成されていることを特徴とする請求項４に記載の水販売装置。
【請求項６】
前記給水路及び前記送水路に薬液を注入する薬液注入装置をさらに備える請求項４又は５に記載の水販売装置。
【考案の詳細な説明】
【技術分野】
【０００１】
本考案は、天然水、温泉、海水等の水を殺菌及び浄化処理して販売する水販売装置に関する。
【背景技術】
【０００２】
天然水等が湧き出た地域では、交通の便の良い所に販売所を建て、この販売所内に処理施設と自動販売機を設置している。コンテナを水販売店舗としたものが特許文献１に記載されている。
【０００３】
しかし、特許文献１のものは、貯水タンクに天然水等を貯めておくものであり、給水車で水を貯水タンクに供給するか、給水する毎に、コンテナを移動させなければならないという問題がある。
【先行技術文献】
【特許文献】
【０００４】
【特許文献１】特開２００９−２３４５９１号公報
【考案の概要】
【考案が解決しようとする課題】
【０００５】
本考案はかかる問題点に鑑みてなされたもので、天然水等が湧き出た地域に簡単に設置し、枯渇した場合には迅速に撤去することができる水販売装置を提供することを課題とする。
【課題を解決するための手段】
【０００６】
前記課題を解決するために、本考案は、
搬送可能な箱状の本体の内部に、仕切壁により仕切られた第１室と第２室が設けられ、
前記第１室に水処理ユニットが設けられ、
前記第１室に前記本体の外部から原水を受け入れる原水取水口が設けられ、
前記第２室にコイン式水自動販売機が設置され、
前記第２室には、扉により開閉可能な出入口が設けられ、
前記水処理ユニットは、前記取水口から原水を受け入れて浄化し殺菌して前記コイン式水自動販売機に供給するように構成されたことを特徴とする水販売装置。
【０００７】
本考案の水販売装置は、天然水等が湧き出た地域まで搬送し、原水取水口に原水供給管を接続するだけで水処理と販売を行える。また、天然水等が枯渇した場合には、原水取水口から原水供給管を分離するだけで、他の地域に移動することができる。
【０００８】
前記仕切壁に前記第２室から前記第１室に出入りできるドアが設けられているので、第１室の水処理ユニットの点検を行うことができる。
【０００９】
前記第１室に前記水処理ユニットに接近できるように点検通路が設けられているので、第１室の水処理ユニットの点検を容易に行える。
【００１０】
前記本体は、２０フィートドライコンテナであることが好ましい。既存のコンテナを利用するので、建屋を建築する必要がないうえ、トラックやトレーラ等での搬送が容易である。
【００１１】
前記水処理ユニットは、
半浸漬照射式紫外線殺菌装置を有する受水槽と、
前記本体の外部から原水を受け入れて、第１フィルタを介して前記受水槽に送る給水路と、
前記受水槽に貯留された水を送水ポンプにより第２フィルタ及び紫外線流水殺菌装置を介して前記コイン式水自動販売機に送る送水ポンプを有する送水路と、
前記受水槽のオーバーフロー水及び前記第１フィルタ、前記第２フィルタ、前記紫外線流水殺菌装置、及び前記コイン式水自動販売機からのドレンを排出する排水路と、
を備える。
これにより、原水を第１フィルタで濾過して受水槽に貯留し、水自動販売機に送水する毎に受水槽の水を殺菌するので、常においしい水を供給することができる。
【００１２】
前記送水路内の水の温度を検出する温度計と、
前記送水路から分岐して前記受水槽に至る帰還路とをさらに備え、
前記温度計により検出された温度が所定温度を超えると、前記送水路内の水を前記帰還路を介して前記受水槽に戻すように構成されている。
送水管内の水が上昇しても、水自動販売機から高温の水が供給されることがないし、殺菌の増殖が防止される。
【００１３】
前記給水路及び前記送水路に薬液を注入する薬液注入装置をさらに備えることが好ましい。これにより旧水路や送水路内の水を定期的に薬液により殺菌することができる。
【考案の効果】
【００１４】
本考案によれば、天然水等が湧き出た地域まで搬送し、原水取水口に原水供給管を接続するだけで水処理と販売を行え、また、天然水等が枯渇した場合には、原水取水口から原水供給管を分離するだけで、他の地域に移動することができるので、設置が簡単であり、撤去も迅速に行えるという効果を有している。
【図面の簡単な説明】
【００１５】
【図１】本考案に係る水販売装置の一部破断斜視図。
【図２】図１の水販売装置の扉を閉じた状態の斜視図。
【図３】図１の水販売装置の扉を開けた状態の正面図。
【図４】図１の水販売装置の平面断面図。
【図５】図１の水販売装置の側面断面図。
【図６】図４のV-V線断面図。
【図７】図４のVI-VI線断面図。
【図８】本考案に係る水販売装置の系統図。
【考案を実施するための形態】
【００１６】
次に本考案の実施形態を添付図面に従って説明する。
【００１７】
図１は、本考案に係る水販売装置１を示す。この水販売装置１は、搬送可能な箱状の本体２を有している。本体２は、人が立ち入ることができる幅と高さと長さを有し、好ましくは２０フィートドライコンテナである。本体２の内部は、長手方向に直交する仕切壁３により第１室４と第２室５に仕切られている。第１室４は、第２室５より広くなっている。第１室４側の本体４の側壁には、図２に示すように、原水取水口６と排水口７が設けられている。第２室５側の本体２の前壁は、図３に示すように、出入口８を開閉可能な扉９が設けられている。扉９は、本実施形態では、観音開きの扉であるが、片開きの扉でもよいし、引き戸でもよい。
【００１８】
図３〜図７に示すように、第１室４には、水処理ユニット１０が設けられ、第２室５には、コイン式水自動販売機１１が３台設置されている。仕切壁３には、第２室５から第１室４に出入りできるドア１２が設けられている。第１室４には、人がドア１２を開けて水処理ユニット１０に接近できるように、ドア１２から真っ直ぐに延びる点検通路１３が設けられている。第１室４の天壁には、後述する水処理ユニット１０の受水槽１６の紫外線殺菌装置２７の点検が可能なように、開閉可能な点検口１４が設けられている。
【００１９】
図８に示すように、水処理ユニット１０は、給水路１５と、受水槽１６と、送水路１７と、帰還路１８と、排水路１９と、薬注装置２０が設けられている。
【００２０】
給水路１５は、本体の原水取水口６から受水槽１６に至る配管で、本体２の外部の原水槽２１から原水ポンプ２２により供給される原水を受け入れて受水槽１６に送るようになっている。給水路１５には、原水入口モーター弁２３と、第１フィルタ２４が介設されている。第１フィルタ２４は、カートリッジ式のミクロボアーフィルタを内蔵し、水の臭い、サビや汚れを除去する。
【００２１】
受水槽１６は、断熱容器からなり、水入口２５と水出口２６を有し、水入口１５から給水路１５を経た原水を受け入れて貯留し、水出口２６から送水路１７に送水する。受水槽１６は、半浸漬照射式紫外線殺菌装置２７を有する。紫外線殺菌装置２７は、紫外線ランプを保護管に挿入して受水槽内の水に浸漬することで、受水槽１６内の水中の微生物を破壊して消毒するものである。紫外線殺菌装置２７の制御盤２７ａは、図７に示すように、仕切壁３の第１室４側に配設されている。受水槽１６には、図８に示すように、２つの液面計２８ａ，２８ｂが設けられている。液面計２８ａは、給水用で、上限液面と下限液面を検出し、液面計２８ｂは、オーバーフロー用で、オーバーフロー液面を検出する。受水槽１６の天壁にはベントフィルタ２９が設けられ、受水槽１６内に流入する空気をろ過し、無菌・無塵化するようになっている。受水槽１６の側壁上部にはオーバーフロー管３０が設けられ、該オーバーフロー管３０にオーバーフロー用モーター弁３１が設けられている。
【００２２】
送水路１７は、受水槽１６の水出口２６からコイン式水自動販売機１１に至る配管で、受水槽１６に貯留された水をコイン式水自動販売機１１に送るようになっている。送水路１７には、送水ポンプ３２と、第２フィルタ３３と、紫外線流水殺菌装置３４が介設されている。送水ポンプ３２は、２台並列に設けられ、交互に運転される。第２フィルタ３３は、２台直列に設けられ、第１フィルタ２４と同様に、カートリッジ式のミクロボアーフィルタを内蔵し、水の臭い、サビや汚れを除去する。紫外線流水殺菌装置３４は、高出力紫外線ランプにより流れる水に対して紫外線を照射して水を殺菌する。送水路１７には、紫外線流水殺菌装置３４の下流に、送水路１7内の水の温度を検出する温度計３５が設けられている。
【００２３】
帰還路１８は、送水路１７の末端から分岐して受水槽１６に至る配管で、処理水用モーター弁３６が介設されている。温度計３５により検出された送水路１７内の水の温度が所定の水温（５０℃）を超えると、処理水用モーター弁３６を開いて送水ポンプ３２により送水路１７内の水を受水槽１６に戻し、送水路１７内の水の温度が低下すると、処理水用モーター弁３６を閉じるようになっている。
【００２４】
排水路１９は、受水槽１６のオーバーフロー水、及び受水槽１６、第１フィルタ２４、第２フィルタ３３、紫外線流水殺菌装置３４並びにコイン式水自動販売機１１からのドレンを本体２の排水口７を経て本体２の外部に排出するようになっている。
【００２５】
薬液注入装置２０は、タンク内に貯留した次亜塩素酸ナトリウム等の薬液をポンプにより給水路１５及び送水路１７に注入し、各管内を定期的に殺菌するものである。
【００２６】
一方、コイン式水自動販売機１１は、仕切壁３の第２室５側に３台並列に設置されている。コイン式水自動販売機１１は、給水接続口が送水路１７に接続され、ドレン排出口が排水路１９に接続されている。コイン式水自動販売機１１は、コイン投入口に投入されたコインの額に相当する量の水をカランからボトル内に流出させる。
【００２７】
第２室５の点検通路１３に面する側壁には電源制御盤３７が設けられている。電源制御盤３７は、送水ポンプ３２、モーター弁２３，３１，３６、薬注装置２０、殺菌装置２７，３４等の各機器に電源を供給するととともにそれらの動作を制御する。
【００２８】
以上のように構成された本考案の実施形態に係る水販売装置１は、天然水等が湧き出た地域に、トラック、トレーラ等で搬送して設置する。なお、天然水等が湧き出た地域には、湧き出た天然水等を貯留する原水槽２１とこの原水槽２１から原水をくみ上げる原水ポンプ２２が用意されているものとする。水販売装置１は、本体２の第２室５の扉９を人が近づき易い方向に向けて設置する。次に、水販売装置１の本体２の原水取水口６を原水供給管３８により原水槽２１の原水ポンプ２２に連結し、排水口７に排水管３９を取り付けて排水溝４０に導く。本体２の扉９を開けて、第２室５のコイン式水自動販売機１１に人が出入りできるようにする。
【００２９】
原水ポンプ２２は、受水槽１６の第１液面計２８ａにより検出される液面が下限水位になり、原水モーター弁２３が開くと、自動的に駆動して原水槽２１内の原水を受水槽１６に供給し、液面が上限水位になり、原水モーター弁２３が閉じると、自動的に停止して原水の供給を停止するように設定しておく。
【００３０】
そして、原水ポンプ２２を駆動して、原水槽２１内の原水を第１フィルタ２４で浄化された原水を受水槽１６内に貯留する。受水槽１６内の原水は、半浸漬照射式紫外線殺菌装置２７により殺菌される。
【００３１】
これで、水販売装置１のコイン式水販売機１１で水を販売することができる。コイン式水販売機１１にコインが投入されると、送水ポンプ３２を駆動する。これにより、受水槽１６内の水が第２フィルタ３３と流水式紫外線殺菌装置３４を通過し、コインの額に相当する量の浄化滅菌された水がコイン式水販売機１１のカランからボトル等に流出する。温度計２８ａにより受水槽１６内の水が減少したことが検出されると、原水モーター弁２３を開き、原水ポンプ２を駆動し、原水槽２１内の原水を受水槽１６に供給する。
【００３２】
送水管１７内の水は、外気温により本体２内の温度が上昇するに伴い、温度が上昇し、菌が発生して増殖する。そこで、送水路１７に設けた温度計３５により送水管１７内の水の温度が所定の水温（５０℃）を超えたことが検出されると、処理水用モーター弁３６を開き、送水ポンプ３２により、送水路１７内の水を受水槽１６に戻し、帰還させる。
【００３３】
第２液面計２８ｂにより受水槽１６内の水がオーバーフロー液面を超えたことが検出されると、オーバーフローモーター弁３１を開き、受水槽１６内の水を排水路１９を介して排出する。
【００３４】
天然水等が枯渇した場合には、原水取水口６から原水供給管３８を分離し、排水口７から排水管３９を分離するだけで、トラックやトレーラ等で新たに採掘された地域に移動して、水を販売することができる。このように、本実施形態の水販売装置１は、設置が簡単であり、撤去も迅速に行える。
【００３５】
本考案は以上の実施形態に限るものではなく、実用新案登録請求の範囲に記載された考案の範囲内で適宜修正または変更することができる。例えば、仕切壁３の位置を変えて第１室４と第２室５の配置、扉９の位置を変更することができる。また、第２室５の水自動販売機１１の数や配置も適宜変更することができる。
【符号の説明】
【００３６】
１…水販売装置
２…本体
３…仕切壁
４…第１室
５…第２室
６…原水取水口
７…排水口
８…出入口
９…扉
１０…水処理ユニット
１１…コイン式水自動販売機
１２…ドア
１３…点検通路
１４…点検口
１５…給水路
１６…受水槽
１７…送水路
１８…帰還路
１９…排水路
２０…薬注装置
２１…原水槽
２２…原水ポンプ
２３…原水入口モーター弁
２４…第１フィルタ
２５…水入口
２６…水出口
２７…半浸漬照射式紫外線殺菌装置
２７ａ…制御盤
２８ａ，２８ｂ…液面計
２９…ベントフィルタ
３０…オーバーフロー管
３１…オーバーフローモーター弁
３２…送水ポンプ
３３…第２フィルタ
３４…紫外線流水殺菌装置
３５…温度計
３６…処理水モーター弁
３７…電源制御盤
３８…原水供給管
３９…排水管
４０…排水溝
【図１】
0003215976.tif 000003
【図２】
0003215976.tif 000004
【図３】
0003215976.tif 000005
【図４】
0003215976.tif 000006
【図５】
0003215976.tif 000007
【図６】
0003215976.tif 000008
【図７】
0003215976.tif 000009
【図８】
0003215976.tif 000010